(57)【要約】【課題】安全ベルトに影響を受けずに簡易にベビーカーに取り付けることができ、しかも乳幼児の姿勢を阻害しないが、保形性を有し、かつ乳幼児に対する装着安定性に優れたベビーカー用脚防寒具を提供する。【解決手段】ベビーカー２の左右フレーム４及びガードフレーム５に囲まれた着座部３に座る乳幼児１３の脚１４を覆うベビーカー用脚防寒具１において、乳幼児１３の脚１４を挿入する開放面１０を除いた残り上面７、下面９、底面８及び両側面６の各構成面を接合した略直方体の袋状で、上面７が乳幼児１３の脚１４を覆うのに対し、下面９は着座部３に連続して設けることで相対的に上面７より短くし、側面６にベビーカー２の左右フレーム４と連結する伸縮性バンド１６を左右一対に設けたベビーカー用脚防寒具１である。【選択図】        図３
2004263346.tif 000002
【特許請求の範囲】
【請求項１】
ベビーカーの左右フレーム及びガードフレームに囲まれた着座部に座る乳幼児の脚を覆うベビーカー用脚防寒具において、乳幼児の脚を挿入する開放面を除いた残り上面、下面、底面及び両側面を接合した略直方体の袋状で、上面が乳幼児の脚を覆うのに対し、下面は着座部から前方へ連続するように相対的に上面より短くし、上面、側面又は底面にベビーカーの左右フレームと連結する伸縮性バンドを左右一対に設けたことを特徴とするベビーカー用脚防寒具。
【請求項２】
上面、下面、底面又は側面の内側にポケットを設けた請求項１記載のベビーカー用脚防寒具。
【請求項３】
上面、下面、底面又は側面は厚地の防水布である請求項１記載のベビーカー用脚防寒具。
【請求項４】
上面、下面又は側面は着座部に倣う可撓性チューブを内蔵した請求項１記載のベビーカー用脚防寒具。
【請求項５】
側面は着座部に倣う側面視屈曲形状である請求項１記載のベビーカー用脚防寒具。
【請求項６】
上面又は側面にベビーカーのガードフレームと連結する固定バンドを設けた請求項１記載のベビーカー用脚防寒具。
【発明の詳細な説明】
【０００１】
【発明の属する技術分野】
本発明は、ベビーカーに着脱自在なベビーカー用脚防寒具に関する。
【０００２】
【従来の技術】
ベビーカーに乗せた乳幼児の脚部を防寒するには、乳幼児に対してタオルケットを掛ける等でも対応できるが、従来より、ベビーカーの構造に着目した専用のベビーカー用脚防寒具（以下、脚防寒具と略する）が提案されている。具体的には、特許文献１〜３を例示できる。特許文献１は、ベビーカーに対してスナップを用いて着脱する脚防寒具（防寒袋）で、乗車中の乳幼児の脚の防寒のみならず、靴、靴下等の落下紛失を防ぐことができる点を明示している。
【０００３】
特許文献２は、幼児の脚部、胸部及び脇部にわたる膝掛け布と、膝掛け布の下方を折り曲げて形成したポケットと、ベビーカーの背もたれに捲回される幅広ひもと、そして幅広ひもに設けたバックルとからなる脚防寒具を開示している。特許文献３は、キルティング素材を袋状にした脚防寒具で、上面部は下面部及び胸当て部とを加えた長さにしている。ベビーカーに対しては、面ファスナーからなるベルトにより着脱する。
【０００４】
【特許文献１】
登録実用新案第３０３８８２８号公報（３〜４頁、図１〜３）
【特許文献２】
特開平１１−０２１７０９号公報（３〜４頁、図３〜４）
【特許文献３】
登録実用新案第３０８０７６３号公報（３〜４頁、図１〜３）
【０００５】
【発明が解決しようとする課題】
特許文献１の脚防寒具は、ベビーカー装備の安全ベルトを利用して取り付けるため、脚防寒具が前記安全ベルトに自由度を拘束され、全体的に直線的になり、乳幼児の姿勢を仰向けに寝た姿勢に強制する可能性がある。特許文献２の脚防寒具は、乳幼児の脚全体を包む袋状であり、ベビーカーに取り付けにくいばかりか、乳幼児に対する装着に時間がかかったり、乳幼児が嫌がる問題がある。
【０００６】
特許文献３の脚防寒具は、下面部と胸当て部とを加えた長さの上面を有するため、ベビーカーへの装着が煩わしいことに加え、ベビーカーに対して左右の面ファスナー（明細書中には紐に置換する点に言及）のみで取り付けるため、乳幼児に対する装着安定性に欠ける問題があった。また、全体が軟質性の生地を用いているため、保形性（外形状の維持）に欠けるきらいがあった。
【０００７】
そこで、安全ベルトに影響を受けずに簡易にベビーカーに取り付けることができ、しかも乳幼児の姿勢を阻害しないが、保形性を有し、かつ乳幼児に対する装着安定性に優れた脚防寒具を提供するため、検討した。
【０００８】
【課題を解決するための手段】
検討の結果、ベビーカーの左右フレーム及びガードフレームに囲まれた着座部に座る乳幼児の脚を覆うベビーカー用脚防寒具において、乳幼児の脚を挿入する開放面を除いた残り上面、下面、底面及び両側面を接合した略直方体の袋状で、上面が乳幼児の脚を覆うのに対し、下面は着座部から前方へ連続するように相対的に上面より短くし、上面、側面又は底面に左右フレームと連結する伸縮性バンドを左右一対に設けたベビーカー用脚防寒具を作り出した。
【０００９】
本発明の脚防寒具は、全体を構成する上面（乳幼児の脚を覆う面）、下面（乳幼児の脚下に潜り込む面）、底面（乳幼児の足が突き当たる面）及び両側面（乳幼児の脚に側方から接する面）を接合した略直方体の袋状としながら、下面は着座部から前方へ連続するように相対的に上面より短くしたので、乳幼児の脚を挿入する際、下面が邪魔とならず、乳幼児が靴を履いたままでも容易に脚防寒具へと脚を挿入できる。
【００１０】
伸縮性バンドは、自身が伸縮するため、ベビーカーの左右フレームに対する調整を要することなく、脚防寒具をベビーカーに取り付けることができる。また、伸縮性バンドは、ベビーカーに対して脚防寒具が動くことを許容するため、乳幼児が脚を挿入した状態で脚防寒具内で脚を自由に動かすことができる。この場合、伸縮性バンドが伸縮して前記脚の動きによる脚防寒具のずれを防止する。伸縮性バンドとして、ゴム紐を例示できる。
【００１１】
このほか、上面、下面、底面又は側面の内側にポケットを設けると、防寒対策のためのカイロを収納できる。
【００１２】
また、上面、下面、底面又は側面を厚地の防水布にすると、脚防寒具に防水性を付与できるほか、頑丈で保形性に優れた脚防寒具となる。上記保形性は、構成面に、着座部に倣う可撓性チューブ（湾曲自在で、湾曲方向に対して逆向きに復元力を発揮するチューブ）を内蔵することでも向上する。
【００１３】
また、側面を着座部に倣う側面視形状、すなわち着座部の屈曲に倣う屈曲形状にすると、着座部に倣う乳幼児の脚の屈曲に脚防寒具が沿うため、位置ずれや型くずれが起きにくい。上面、底面及び下面は、側面の外周縁に沿って接合することから、上面に対する側面の外周縁を上方へ凸にすることが好ましい。
【００１４】
更には、上面又は側面にガードフレームに連結する固定バンドを設けると、上面又は側面がベビーカーに対して位置固定できるため、ベビーカーに対する取付安定性、乳幼児に対する装着安定性、そして保形性が向上する。固定バンドは、通常の布ベルトに面ファスナーやボタン等の係着手段を設ける構成を例示できる。
【００１５】
【発明の実施の形態】
以下、本発明の実施形態について図を参照しながら説明する。図１は本発明の脚防寒具１の一例を表した側面図、図２は同脚防寒具１の正面図であり、図３は同脚防寒具１の使用状態を表した部分断面図である。
【００１６】
本例の脚防寒具１は、図１、図２及び図３に見られるように、ベビーカー２の着座部３、左右フレーム４及びガードフレーム５に囲まれる側面視形状に全体が略等しい側面６の周縁に、上面７、底面８及び下面９を連続して取り付け、前記周縁で縫着した略直方体の袋状である。開放面１０は、上面端縁１１及び両側面端縁１２に囲まれた範囲で、図３に見られるように、乳幼児１３は前記開放面１０から脚１４を挿入する。
【００１７】
上面７、下面９、底面８及び両側面６，６は防水布を裁断したもので、特に側面６は着座部３の屈曲に倣う側面視略屈曲形状として脚防寒具１全体を着座部３前端から前方に向けて屈曲させている。また、本例では、上面７及び両側面６，６が外に向かって膨らむ曲面状態で相互に縫着している。更に、上面７は、開放面１０から挿入した乳幼児１３の脚１４を広く覆う長さを有するのに対し、下面９は着座部３前端から連続する長さで、相対的に上面７より短くしている。これにより、下面９が安全ベルト１５の邪魔にならず、乳幼児１３の自由度が阻害されず、また脚防寒具１自体の取付安定性が増す。
【００１８】
伸縮性バンド１６は、各側面端縁１２及び開放面１０の交差角部１７に２本ずつ取り付けてあり、左右フレーム４へ個別に結び付ける。本例の伸縮性バンド１６はゴム紐からなり、緊張状態で左右フレーム４に結びつけても一定の伸縮性を発揮し、乳幼児１３が脚１４を動かすことを許容しながら、前記脚１４の動きによる脚防寒具１の位置ずれを防止する。
【００１９】
固定バンド１８は、上面端縁１１から左右一対に取り付けてあり、ガードフレーム５へ共に掛け回し、上面７内にあるボタン１９，１９にボタン孔２０を係合することで、ガードフレーム５に対して結び付ける。本例では、ボタン１９，１９が固定バンド１８長手方向に２個設けてあり、ガードフレーム５の大きさに合わせて選択したボタン１９にボタン孔２０を係合する。
【００２０】
更に、上面７には側面６の周縁に沿って着座部３に倣う形状の可撓性チューブ２１を内蔵して保形性を付与し、内側にポケット２２を設けてカイロ２３を収納できるようにしている。本発明の脚防寒具１は、靴を履いたまま乳幼児１３の脚１４を挿入できるように各構成面６，７，８，９を曲面状態で相互に縫着したことで、脚防寒具１内部の空間が広くなっている。カイロ２３は、前記空間を暖めて暖気雰囲気を作り出すことによって防寒性能を高める。
【００２１】
【発明の効果】
本発明の脚防寒具は、下面が短いために安全ベルトが邪魔にならず、伸縮ベルトにより簡易にベビーカーに取り付けることができる効果がある。しかも、側面を着座部に倣う側面視屈曲形状とし、各構成面を曲面状態にすることで、乳幼児の姿勢を阻害せず、脚を動かす自由度を作りながら、可撓性チューブを内蔵することで保形性を発揮できる効果がある。更に、伸縮性ベルトはベビーカー及び乳幼児に対する取付安定性及び装着安定性を向上させる効果がある。
【図面の簡単な説明】
【図１】本発明の脚防寒具の一例を表した側面図である。
【図２】同脚防寒具の正面図である。
【図３】同脚防寒具の使用状態を表した部分断面図である。
【符号の説明】
１  ベビーカー用脚防寒具
２  ベビーカー
３  着座部
４  左右フレーム
５  ガードフレーム
６  側面
７  上面
８  底面
９  下面
１０  開放面
１５  安全ベルト
１６  伸縮性バンド
２１  可撓性チューブ
２２  ポケット
【図１】
2004263346.tif 000003
【図２】
2004263346.tif 000004
【図３】
2004263346.tif 000005